(57)【要約】      （修正有）【課題】大事にしていたペットが亡くなった後、遺骨を常に身近に安置し、さらに、飼い主本人が亡くなった時は、いっしょに棺桶に入れて、一心同体で火葬から埋葬までを行うことが可能な、ペット用の骨壷の提供。【解決手段】本型のカバー２と表紙３を備えた遺骨容器１とし、白紙4にはペットの写真を貼り付けることが可能で、遺骨容器１もカバー２も、自然素材で製作する。【選択図】図１
2017131209.tif 000002
【特許請求の範囲】
【請求項１】
ペットの飼い主が亡くなった際、飼い主の棺桶に入れて火葬する事が可能であり、以下の様に構成した事を特徴とする、ペット用の骨壷。
１、遺骨を入れる容器と、その容器を収納するカバーとで構成する。
２、容器及びカバーは、紙、木材、布、綿、繊維のいずれか、またはいずれか複数の組合せとし、化学繊維・化学薬品・有機溶剤・合成接着剤を含まないものとする。
３、カバーの形状は、所定の厚さを有する本の形とし、サイズは一般的な書籍と同様、Ａ６版、新書版、菊版、Ｂ６版、Ａ５版、Ｂ５版、Ａ４版、Ｂ４版のいずれかとする。
４、カバーの内部は所定の厚さを有する箱状、即ち、本の所定のページ分に相当する厚さの箱状とする。
５、箱状部分の前、又は後、又は前後両方に、所定の数の白紙ページを設ける。尚、白紙ページは、写真や絵を貼り付け、又は挿入可能な、アルバムとした構成も含み、白紙のサイズをカバーの表紙部よりも小さくした構成も含み、着色した用紙も含む。
６、カバーの表紙部、背表紙部、裏表紙部は、白紙とする、又は写真や絵を貼り付け、又は挿入可能とする。尚、カバーの一部にスタンドを装置する、又はカバーにスタンドを着脱自在に構成する、又は表紙や白紙部を開い状態で固定するクリップを装置する事により、カバーを開いた状態で飾る事が可能とした構成も含み、紙は着色した場合も含む。
７、遺骨を入れる容器は、箱状部分の内部に安置可能に構成する。
８、容器を安置する構成は、箱状部分に凹状の安置部を設けて接着安置する構成や、開閉可能な蓋を装置する構成の他、和紙を貼って取り出し不可能に密閉する構成や、容器そのものを箱状部分としてカバーの内側に装置した構成も含む。尚、箱状部分に、容器安置部とは別に、所定の容積を有する収納部を設け、ペットとの思い出の品物を格納可能に装置した構成も含む。
【請求項２】
容器とカバーを以下の様に構成した事を特徴とする、請求項１に記載の、ペット用の骨壷。
１、容器の形状は、略円筒形、又は略直方体とし、角部に面取りを設けた構成や、角部を丸めた構成も含み、略球形や、略長球形も含む。
２、カバーは、紙を折る、又は紙を切り貼りする、又は布を縫い合わせる、又はそれらを組合せる構成により、所定の立体形状とした。尚、所定の型紙を備え、型紙に合わせて、多種多様な立体形状を作成自在に装置した構成も含む。
３、容器を、カバーの内部に安置可能とした。尚、安置方法は、和紙を貼って密閉する、又は繊維を編んで固定する、又は挿入後に紐や糸を結んで固定する構成とし、容器の周囲を綿で覆い、持ち運び時の振動から遺骨を保護する様に装置した構成も含む。
また、カバーの内側を二重又は三重とし、容器を入れて密閉した状態で、ペットとの思い出の品物を収納可能に装置した構成も含む。
【発明の詳細な説明】
【技術分野】
【０００１】本発明は、家族同様に過ごしてきたペットが亡くなった際に使用する骨壷であり、その後、飼い主が亡くなった時に、棺桶に入れ、飼い主といっしょに火葬する事を可能とした、ペット用の骨壷に関する。
【背景技術】
【０００２】ペットを飼う人が増え、犬や猫などの動物と家族同然に暮らしている人も増加している。また、かわいがっていたペットが亡くなる事によって精神的に大きなショックを受ける、いわゆるペットロスも、大きな社会問題となっている。
とりわけ高齢者になると、ペットと同じ墓に埋葬されたいと願う人も多いが、その希望を叶える事ができる商品もサービスも、存在しなかった。
【先行技術文献】
【特許文献】
【０００３】なし。
【発明の概要】
【発明が解決しようとする課題】
【０００４】亡くなった後も、ペットといっしょにいたいと願う人々の希望を叶える為には、以下の課題を全て解決しなければならない。
１、飼い主本人が亡くなるまで、遺骨を身近に置いておけること。
２、ペットとの思い出を、常に感じられること。
３、ペットの遺骨を飼い主の棺桶に入れられること。即ち、ペットの遺骨を入れる容器は、完全燃焼し、有害な物質を発生しないこと。
４、飼い主の棺桶に入れても、全く違和感の無い形態であること。
５、遺族が見て、棺桶に入れるものだと判断できること。
上記の課題を１つでも満足できない場合は、ペット用の骨壺として成立しない。
【課題を解決するための手段】
【０００５】課題を解決する為には、本発明の請求項１から請求項２のいずれかに記載された構成を１つ、又は複数選択して採用する。その内容は、概略、以下の構成を指す。
１、自然素材で作られた容器に、ペットの遺骨を入れる。
２、容器を、自然素材で作られたカバーで覆う。
３、カバーは、本の形とし、思い出の写真を貼り付け可能とする。
【発明の効果】
【０００６】本発明によれば、前述の課題を全て解決する事が可能で、特に、ペットロスに悩む高齢者には、朗報となる。
【図面の簡単な説明】
【０００７】
【図１】  本発明の、斜視図を表す。
【発明を実施するための形態】
【０００８】本発明を実施し、全ての課題を解決する為の形態や構成は、請求項１から請求項２に詳述された通りであり、そのいずれか、又はいずれか複数の構成を選択すれば良い。その構成の一例を、図を使って説明する。
【実施例】
【０００９】図１は、本発明であるペット用の骨壷である。１は、遺骨を入れる木製又は紙製の容器であり、これを、所定の厚さを有するカバー２の凹部に安置する。カバー２は、表紙となる３と一体となり、本の形状を構成する。【００１０】４は白紙であり、表紙３よりも若干サイズの小さい用紙が、本と同様に綴じこまれている。
この構成により、白紙４にはペットとの思い出の写真などを貼り付ける事が可能で、遺骨を思い出と共に保管する事ができる。
また、昨今のペット霊園では、多数の棚に骨壷を並べて供養する納骨堂が増えているが、一般家庭では、通常の骨壷を飾る事も保管する事もできない。しかし本発明の形状であれば、本棚に違和感無く保管する事が可能となり、ペット霊園などに遺骨を預ける必要がなくなる。以上が、主として請求項１に記載された本発明の実施例である。【００１１】また、主として請求項２の実施例では、カバーを布で作り、所定の立体形状とする為、自宅に飾るスペースがある場合は、請求項２の構成も推奨できる。【００１２】さらに本発明のペット用の骨壷は、カバーも含めて燃やす事が可能で、燃焼によって有害物質が発生する事もない。その為、飼い主本人が亡くなった場合、いっしょに棺桶に入れて火葬し、一心同体となって埋葬することが可能となり、飼い主の精神的安泰に寄与する。
【産業上の利用可能性】
【００１３】本発明の、請求項１から請求項２の、いずれかに記載された構成を、１つ又は複数選択して採用すれば、かわいがっていたペットの遺骨を、ペット霊園などに預ける必要も無く、思い出と共に常に身近に置き、安全確実に安置できる。
これにより、社会問題となっているペットロスの軽減に、大きな効果が期待できる。
【符号の説明】
【００１４】      １、遺骨を入れる容器
２、所定の厚さを有するカバー
３、カバーの表紙
４、カバー内に綴じこまれた白紙
【図１】
2017131209.tif 000003